(57)【要約】【課題】コンピュータの接続ポートを施錠して外部記憶装置が接続できないようにする上、必要に応じて施錠ユニットの暗証番号を変更するコンピュータ内部のデータが盗まれることを防ぐ調整可能なコンピュータ接続ポートの錠を提供する。【解決手段】調整可能なコンピュータ接続ポートの錠は、ハウジング、施錠ユニット２および少なくとも１つの押しボタン３を備える。ハウジングの一方の端部には、互いに対応した２つの貫通孔１３１を有する挿着部１３が設けられ、挿着部１３の中に固定ベース１４が設けられ、ハウジングの少なくとも１つの側面上に多数の中空部１５が設けられ、ハウジングの他方の端部には、その内部に支持板１６が配置されている。施錠ユニット２は、ハウジング中に配置されている。少なくとも１つの押しボタン３は、ハウジングの少なくとも１つの側面に可動可能に設けられ、押し部材２２の側面と干渉する。【選択図】図１
0003146914.tif 000002
【実用新案登録請求の範囲】
【請求項１】
ハウジング、施錠ユニットおよび少なくとも１つの押しボタンを備えた調整可能なコンピュータ接続ポートの錠であって、
前記ハウジングの一方の端部には、互いに対応した２つの貫通孔を有する挿着部が設けられ、前記挿着部の中に固定ベースが設けられ、前記ハウジングの少なくとも１つの側面上に多数の中空部が設けられ、前記ハウジングの他方の端部には、その内部に支持板が配置され、
前記施錠ユニットは、前記ハウジング中に配置され、前記支持板と可動可能に結合され、多数の凸部を外側に有する軸体と、前記軸体の端部に設けられ、嵌着部を端面に有する押し部材と、前記嵌着部と可動可能に結合された施錠部と、前記押し部材と前記固定ベースとの間に設けられた弾性部材と、前記軸体に外嵌された多数のロックスリーブと、前記ロックスリーブに外嵌された多数の回転ホイールと、前記軸体の他方の端部に設けられた押し板と、を含み、前記施錠部の一方の端部には前記ハウジング中に位置が拘束された横板が設けられ、前記施錠部の他方の端部には、各前記貫通孔中にそれぞれ対応するように延伸した鉤板が設けられ、各前記ロックスリーブは、前記凸部と対応した切欠き溝を有し、各前記ロックスリーブの外側には翼板が設けられ、各前記ロックスリーブの端面には前記切欠き溝と連通した環漕が設けられ、各前記回転ホイールの外側には、前記中空部に対応した位置に多数の数字領域がそれぞれ設けられ、各前記回転ホイールの内側縁には、各前記翼板と可動可能に噛み合う爪面部が環設され、
前記少なくとも１つの押しボタンは、前記ハウジングの少なくとも１つの側面に可動可能に設けられ、前記押し部材の側面と干渉することを特徴とする調整可能なコンピュータ接続ポートの錠。
【請求項２】
前記ハウジングは、上蓋および下蓋を含むことを特徴とする請求項１に記載の調整可能なコンピュータ接続ポートの錠。
【請求項３】
前記挿着部はＵＳＢコネクタであることを特徴とする請求項１に記載の調整可能なコンピュータ接続ポートの錠。
【請求項４】
前記押し部材の少なくとも１つの側面には、前記押しボタンと干渉する斜面部が設けられていることを特徴とする請求項１に記載の調整可能なコンピュータ接続ポートの錠。
【請求項５】
前記押しボタンの一方の端部には、前記ハウジングの外側に露出された押圧部が設けられ、
前記押しボタンの他方の端部には、前記押し部材の側面に形成された斜面部と干渉する圧接部が設けられていることを特徴とする請求項１に記載の調整可能なコンピュータ接続ポートの錠。
【考案の詳細な説明】
【技術分野】
【０００１】
本考案は、調整可能なコンピュータの接続ポートの錠に関し、特に、コンピュータの接続ポートを施錠して外部記憶装置が接続できないようにし、コンピュータ内部のデータが盗まれることを防止する調整可能なコンピュータの接続ポートの錠に関する。
【背景技術】
【０００２】
情報技術の発展は非常に早く、コンピュータはすでに日常生活にとって必要不可欠な電子製品の一つとなっている。例えば、文書を処理したり、画像ファイル、音声ファイル、マルチメディアファイルやその他重要な電子ファイルの保存には、コンピュータが使用されるようになってきている。一般に、コンピュータは、ハードディスクドライブ、光ディスクドライブ、フロッピー（登録商標）ディスクドライブなどの装置を利用してデータの読取り／保存を行う以外に、携帯型記憶装置（例えば、携帯型ハードディスクドライブ、ＵＳＢフラッシュメモリなど）を使用してデータを持ち出し、外出先で利用することもできる。
【０００３】
一般の携帯型記憶装置の伝送インターフェイスは、通常、ＵＳＢインターフェイスのプラグであり、使用する際はコンピュータ本体のＵＳＢ接続器に直接差し込んで接続するだけで、データ伝送を直ちに行うことができる。このように携帯型記憶装置は、差し込むだけで直ちに使用することができるＵＳＢインターフェイスを利用しているため、使用上の利便性に優れていた。しかし、このように差し込むだけで直ちに使用できるため、携帯型記憶装置によりコンピュータ内部のデータがコピーされ、個人情報などが流出してしまう虞があった。
【考案の開示】
【考案が解決しようとする課題】
【０００４】
本考案は、上記に鑑みてなされたものであって、挿着部に施錠ユニットを利用し、コンピュータの接続ポートを施錠して外部記憶装置が接続できないようにすることができる上、必要に応じて施錠ユニットの暗証番号を変更することができるため、コンピュータ内部のデータが盗まれることを防ぐ調整可能なコンピュータ接続ポートの錠を提供することを目的とする。
【課題を解決するための手段】
【０００５】
上記課題を解決するために、本考案に係る調整可能なコンピュータ接続ポートの錠は、ハウジング、施錠ユニットおよび少なくとも１つの押しボタンを備えた調整可能なコンピュータ接続ポートの錠であって、前記ハウジングの一方の端部には、互いに対応した２つの貫通孔を有する挿着部が設けられ、前記挿着部の中に固定ベースが設けられ、前記ハウジングの少なくとも１つの側面上に多数の中空部が設けられ、前記ハウジングの他方の端部には、その内部に支持板が配置され、前記施錠ユニットは、前記ハウジング中に配置され、前記支持板と可動可能に結合され、多数の凸部を外側に有する軸体と、前記軸体の端部に設けられ、嵌着部を端面に有する押し部材と、前記嵌着部と可動可能に結合された施錠部と、前記押し部材と前記固定ベースとの間に設けられた弾性部材と、前記軸体に外嵌された多数のロックスリーブと、前記ロックスリーブに外嵌された多数の回転ホイールと、前記軸体の他方の端部に設けられた押し板と、を含み、前記施錠部の一方の端部には前記ハウジング中に位置が拘束された横板が設けられ、前記施錠部の他方の端部には、各前記貫通孔中にそれぞれ対応するように延伸した鉤板が設けられ、各前記ロックスリーブは、前記凸部と対応した切欠き溝を有し、各前記ロックスリーブの外側には翼板が設けられ、各前記ロックスリーブの端面には前記切欠き溝と連通した環漕が設けられ、各前記回転ホイールの外側には、前記中空部に対応した位置に多数の数字領域がそれぞれ設けられ、各前記回転ホイールの内側縁には、各前記翼板と可動可能に噛み合う爪面部が環設され、前記少なくとも１つの押しボタンは、前記ハウジングの少なくとも１つの側面に可動可能に設けられ、前記押し部材の側面と干渉することを特徴とする。
【０００６】
さらに、本考案に係る調整可能なコンピュータ接続ポートの錠は、前記ハウジングは、上蓋および下蓋を含むことを特徴とする。
【０００７】
さらに、本考案に係る調整可能なコンピュータ接続ポートの錠は、前記挿着部はＵＳＢコネクタであることを特徴とする。
【０００８】
さらに、本考案に係る調整可能なコンピュータ接続ポートの錠は、前記押し部材の少なくとも１つの側面には、前記押しボタンと干渉する斜面部が設けられていることを特徴とする。
【０００９】
さらに、本考案に係る調整可能なコンピュータ接続ポートの錠は、前記押しボタンの一方の端部には、前記ハウジングの外側に露出された押圧部が設けられ、前記押しボタンの他方の端部には、前記押し部材の側面に形成された斜面部と干渉する圧接部が設けられていることを特徴とする。
【考案の効果】
【００１０】
以上のように、本考案に係る調整可能なコンピュータ接続ポートの錠は、挿着部に施錠ユニットを利用し、コンピュータの接続ポートを施錠し、接続ポートに外部記憶装置が接続できないようにすることができる上、必要に応じて施錠ユニットの暗証番号を変更することができるため、コンピュータ内部のデータが盗まれることを防ぐことができる。
【考案を実施するための最良の形態】
【００１１】
本考案を実施するための形態を図１〜図４を用いて説明する。
【００１２】
図１〜図４を参照する。図１〜図４に示すように、本考案の一実施形態にかかる調整可能なコンピュータ接続ポートの錠は、ハウジング１、施錠ユニット２および少なくとも１つの押しボタン３を含む。
【００１３】
ハウジング１は、上蓋１１および下蓋１２を含む。ハウジング１の一方の端部には、互いに対応した２つの貫通孔１３１が穿設された挿着部１３が設けられている。この挿着部１３は、ＵＳＢコネクタでもよい。ハウジング１の一方の端部に設けられた挿着部１３中には固定ベース１４が設けられ、ハウジング１の少なくとも１つの面には多数の中空部１５が設けられ、ハウジング１の他方の端部の内部には支持板１６が設けられている。
【００１４】
施錠ユニット２は、ハウジング１中に設けられ、支持板１６と可動可能に結合され、多数の凸部２１１を外側に有する軸体２１と、軸体２１の一方の端部に設けられ、その端面に嵌着部２２１を有する押し部材２２と、嵌着部２２１と可動可能に結合された施錠部２３と、押し部材２２と固定ベース１４との間に設けられた弾性部材２４と、軸体２１に外嵌された多数のロックスリーブ２５と、ロックスリーブ２５に外嵌された多数の回転ホイール２６と、軸体２１の他方の端部に設けられた押し板２７と、を含む。押し部材２２の少なくとも１つの側面には斜面部２２２が設けられている。施錠部２３の一方の端部には、ハウジング１中に位置が拘束された横板２３１が設けられ、施錠部２３の他方の端部には、各貫通孔１３１中にそれぞれ対応するように延伸した鉤板２３２が設けられている。各ロックスリーブ２５上には、凸部２１１に対応した切欠き溝２５１が設けられ、各ロックスリーブ２５の外側には、翼板２５２が設けられ、各ロックスリーブ２５の端面には、切欠き溝２５１と連通した環溝２５３が設けられ、各回転ホイール２６の外側縁には、中空部１５にそれぞれ対応した位置に多数の数字領域２６１が環設され、各回転ホイール２６の内側縁には、翼板２５２と可動可能に噛み合う爪面部２６２が環設されている。
【００１５】
押しボタン３は、ハウジング１の少なくとも１つの側面に可動可能に設けられている。押しボタン３の一方の端部には、ハウジング１の外側に露出される押圧部３１が設けられ、押しボタン３の他方の端部には、押し部材２２の側面に形成された斜面部２２２と干渉する圧接部３２が設けられている。上述の構造により、本考案は全く新しい調整可能なコンピュータ接続ポートの錠を提供することができる。
【００１６】
図５〜図７を参照する。図５〜図７に示すように、本考案の一実施形態にかかる調整可能なコンピュータ接続ポートの錠を使用するときは、まず、ハウジング１の一方の端部の挿着部１３をコンピュータ４本体のＵＳＢ接続ポート４１中に直接対応するように挿入する。その後、施錠ユニット２に設けられた施錠部２３の鉤板２３２は、ＵＳＢ接続ポート４１の内壁面により下向きに圧されて各鉤板２３２がそれぞれＵＳＢ接続ポート４１の内側ポートの接続孔４１１に合わされ、貫通孔１３１を介して各鉤板２３２が接続孔４１１中に係合される。このとき、軸体２１上の各凸部２１１は、それぞれロックスリーブ２５の環漕２５３中に位置し、各ロックスリーブ２５の切欠き溝２５１と位置がずれた状態であるため、押しボタン３の圧接部３２により押し部材２２に力を加えることができない状態となる。このように、ハウジング１の挿着部１３を差し込んで、施錠ユニット２の施錠部２３を利用することにより、コンピュータ４のＵＳＢ接続ポート４１を施錠する。これにより、ＵＳＢ接続ポート４１に外部記憶装置が接続できないようにし、コンピュータ４内部のデータが盗まれることを防ぐ。
【００１７】
ユーザがコンピュータ４のＵＳＢ接続ポート４１を使用するときは、ハウジング１の中空部１５を介して施錠ユニット２の各回転ホイール２６を回し、各回転ホイール２６内側の爪面部２６２および翼板２５２を利用して各ロックスリーブ２５を回す。これにより、各ロックスリーブ２５は、その端面に設けられた環漕２５３により、それぞれ軸体２１の各凸部２１１外側を回転して移動させることができる。そして、各回転ホイール２６の外側縁に環設された数字領域２６１の所定の数字を中空部１５の位置に合わせる。爪面部２６２と、ロックスリーブ２５の切欠き溝２５１および翼板２５２と、を利用して各回転ホイール２６の数字領域２６１を予め設定しておいた数字に合わせる。このように数字領域２６１の所定の数字を中空部１５に合わせると、各回転ホイール２６は、各ロックスリーブ２５の切欠き溝２５１が軸体２１上の各凸部２１１に対応して連通状態となる。この状態のときに、ハウジング１外側に露出された押しボタン３の一方の端部である押圧部３１を押圧すると、圧接部３２および斜面部２２２により押し部材２２が推され、押し部材２２を固定ベース１４の方向に移動させて弾性部材２４を圧縮する。これと同時に、軸体２１が前方に移動し、嵌着部２２１により施錠部２３の各鉤板２３２が下向きに圧され、挿着部１３の各貫通孔１３１から各鉤板２３２が外れると、各鉤板２３２がＵＳＢ接続ポート４１の接続孔４１１中に係合されていない状態（開錠状態）となる。このように、ＵＳＢ接続ポート４１からハウジング１の一方の端部の挿着部１３が外されると、ＵＳＢ接続ポート４１を使用することができるようになる。
【００１８】
ユーザが施錠ユニット２の各回転ホイール２６の暗証番号を変更するときは、上述の開錠状態のときに、軸体２１の他方の端子の押し板２７を推して押し板２７に隣接したロックスリーブ２５を推し、後方のロックスリーブ２５により前方のロックスリーブ２５をそれぞれ推す。そして、各ロックスリーブ２５の翼板２５２と、各回転ホイール２６の爪面部２６２とを分離して各回転ホイール２６を回転させ、その外側縁の数字領域２６１の所定の数字を中空部１５に合わせる。その後、押しボタン３をリリースすると、弾性部材２４の弾力復元性により軸体２１が後方に移動し、各ロックスリーブ２５の翼板２５２が各回転ホイール２６の爪面部２６２と噛み合わされる。このように、施錠ユニット２の暗証番号を変更することができる。
【００１９】
上述したことから分かるように、本考案の調整可能なコンピュータ接続ポートの錠は、挿着部に施錠ユニットを利用し、コンピュータの接続ポートを施錠し、接続ポートに外部記憶装置が接続できないようにすることができる上、必要に応じて施錠ユニットの暗証番号を変更することができるため、コンピュータ内部のデータが盗まれることを防ぐことができる。そのため、従来技術の欠点を改善することができる。
【００２０】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００２１】
【図１】本考案の実施形態を示すものであり、調整可能なコンピュータ接続ポートの錠を示す分解斜視図である。
【図２】本考案の実施形態を示すものであり、調整可能なコンピュータ接続ポートの錠を示す分解斜視図である。
【図３】本考案の実施形態を示すものであり、調整可能なコンピュータ接続ポートの錠を示す斜視図である。
【図４】図３の線Ａ−Ａに沿った断面図である。
【図５】本考案の実施形態を示すものであり、調整可能なコンピュータ接続ポートの錠を使用するときの状態を示す斜視図である。
【図６】本考案の実施形態を示すものであり、調整可能なコンピュータ接続ポートの錠を施錠したときの状態を示す断面図である。
【図７】本考案の実施形態を示すものであり、調整可能なコンピュータ接続ポートの錠を開錠したときの状態を示す断面図である。
【符号の説明】
【００２２】
１      ハウジング
１１    上蓋
１２    下蓋
１３    挿着部
１３１  貫通孔
１４    固定ベース
１５    中空部
１６    支持板
２      施錠ユニット
２１    軸体
２１１  凸部
２２    押し部材
２２１  嵌着部
２２２  斜面部
２３    施錠部
２３１  横板
２３２  鉤板
２４    弾性部材
２５    ロックスリーブ
２５１  切欠き溝
２５２  翼板
２５３  環溝
２６    回転ホイール
２６１  数字領域
２６２  爪面部
２７    押し板
３      押しボタン
３１    押圧部
３２    圧接部
４      コンピュータ
４１    ＵＳＢ接続ポート
４１１  接続孔
【図１】
0003146914.tif 000003
【図２】
0003146914.tif 000004
【図３】
0003146914.tif 000005
【図４】
0003146914.tif 000006
【図５】
0003146914.tif 000007
【図６】
0003146914.tif 000008
【図７】
0003146914.tif 000009